(57)【特許請求の範囲】
【請求項１】
上階部が下階部より外部側に突出したオーバーハング部を有してなる建物であって、上階部の床となる第１建築用パネルと、この第１建築用パネルから上方に離間して配置された第２建築用パネルと、これら第１建築用パネルの縁部と第２建築用パネルの縁部とを連結して壁となる第３建築用パネルとを備えたボックス体が、前記オーバーハング部を形成するように下階部の躯体に固定されて設置されており、
前記第１建築用パネルのオーバーハング部の基端部となる部分が外壁の上端部に固定されており、
前記第１建築用パネルの内側端部と、この内側端部に設置された第３建築用パネルと、マグサとが連結されていることを特徴とする建物。
【請求項２】
請求項１記載の建物において、
前記第１および第２建築用パネルは、それぞれ前記オーバーハング部の突出方向に長尺な補強梁と、この補強梁の側面に固定された構造用パネルとを備えていることを特徴とする建物。
【請求項３】
請求項２記載の建物において、
前記構造用パネルは、矩形枠状の枠体と、この枠体内に取付けられた補強桟材と、前記枠体の上面に取付けられた面材とから構成され、
前記構造用パネルは、前記枠体と前記補強梁とを連結ボルトで緊結することによって前記補強梁の側面に固定されていることを特徴とする建物。
【請求項４】
請求項１〜３のいずれかに記載の建物において、
前記ボックス体は、オーバーハング部の基端部となる部分より外側の位置で支持柱によって下方から支持されていることを特徴とする建物。
【請求項５】
請求項１〜４のいずれかに記載の建物において、
前記オーバーハング部の下方には、玄関土間が設けられていることを特徴とする建物。
【請求項６】
請求項５記載の建物において
前記オーバーハング部の下方には、前記玄関土間に隣接してカーポートが設けられていることを特徴とする建物。
【発明の詳細な説明】
【０００１】
【発明の属する技術分野】
本発明は、上階部が下階部より外部側へ突出したオーバーハング部を有してなる建物に関する。
【０００２】
【背景の技術】
近年、建物の構築においては、その工業化が進み、例えば、壁や床、屋根といった構成要素を予め工場にてパネル化しておき、施工現場でこれらのパネルを組み立てることにより、建物を構築するといったパネル工法が知られている。このパネル工法において、現場で組み立てることで建物の壁や床等を構築するパネルは、例えば、縦横の框材を矩形枠状に組み付けた枠体と、この枠体の内側に縦横に組み付けた桟材と、枠体の少なくとも一方の面に取付けた面材とで構成される。
【０００３】
そして、このようなパネル工法により構築された建物には、上階部が下階部より外部側に突出したオーバーハング部を有してなるものがあり、例えば、特開２００１―３２５４３号公報に記載されている建物が知られている。この建物は、玄関を形成する１階部分の外壁を内方に凹ませて、その上方の２階部分の外壁を１階部分の外壁よりも外部側に突出させ、玄関土間の上方の２階部分をいわゆるオーバーハング部としたものである。
【０００４】
【発明が解決しようとする課題】
しかしながら、上述した公報記載の建物では、オーバーハング部の荷重が、このオーバーハング部の下部を構成する床パネルに集中しやすい。したがって、オーバーハング部の突出長さを長くすると、床パネルの基端部にオーバーハング部の荷重が集中し、この集中荷重によって床パネルの基端部において許容せん断応力や許容曲げモーメントを超えてしまう場合がある。したがって、この床パネルの基端部における集中荷重を避けるためにオーバーハング部の突出長さには厳しい限界があった。
【０００５】
上記事情に鑑み、本発明の課題は、建物のオーバーハング部の突出長さを従来に比して長く構成することを可能とする建物を提供することである。
【０００６】
【課題を解決するための手段】
以上の課題を解決するため、請求項１記載の発明は、例えば、図１〜図８に示すように、上階部（二階部１）が下階部（一階部２）より外部側に突出したオーバーハング部１ａを有してなる建物１００であって、上階部（二階部１）の床となる第１建築用パネル４と、この第１建築用パネル４から上方に離間して配置された第２建築用パネル５と、これら第１建築用パネル４の縁部と第２建築用パネル５の縁部とを連結して壁となる第３建築用パネル６とを備えたボックス体３が、前記オーバーハング部１ａを形成するように下階部（一階部２）の躯体（外壁７、玄関用外壁７ａ、マグサ４１、壁柱１２）に固定されて設置されており、
前記第１建築用パネル４のオーバーハング部１ａの基端部となる部分４ｂが外壁７の上端部に固定されており、
前記第１建築用パネル４の内側端部４ａと、この内側端部に設置された第３建築用パネル６と、マグサ４１とが連結されていることを特徴とする。
【０００７】
請求項１記載の発明によれば、前記ボックス体３は、第１建築用パネル４と第２建築用パネル５と第３建築用パネル６とによってボックス状に形成されているため、全体としての剛性が確保される。このボックス体３が、オーバーハング部１ａを形成するように下階部（一階部２）の躯体（外壁７、玄関用外壁７ａ、マグサ４１、壁柱１２）に固定されている。これにより、ボックス体３は、全体がボックス状の片持梁のようにして躯体７に支持された状態となる。これにより、オーバーハング部１ａにおいては、第２建築用パネル５によって第３建築用パネル６および第１建築用パネル４が吊り下げられた構造形態となる。すなわち、ボックス体３の一部であるオーバーハング部１ａの荷重は、構成部材である第１建築用パネル４、第２建築用パネル５、第３建築用パネル６に分散して負担され、従来のように、第１建築用パネル４に集中して負担されることがない。したがって、オーバーハング部１ａの突出長さを従来に比して長く構成することができる。
【０００８】
請求項２記載の発明は、例えば、図１〜図８に示すように、請求項１記載の建物１００において、
前記第１および第２建築用パネル４、５は、それぞれ前記オーバーハング部１ａの突出方向に長尺な補強梁９と、この補強梁９の側面に固定された構造用パネル１０とを備えていることを特徴とする。
【０００９】
請求項２記載の発明によれば、前記第１および第２建築用パネル４、５は、オーバーハング部１ａの突出方向に長尺な補強梁９を備えているので、この前記第１および第２建築用パネル４、５の、オーバーハング部１ａ鉛直剛性が増大する。これにより、前記第１および第２建築用パネル４、５の、オーバーハング部１ａの鉛直撓みが小さくなり、したがって、オーバーハング部１ａの突出長さを従来に比して確実に長く構成することができる。
【００１０】
請求項３記載の発明は、例えば、図１〜図３に示すように、請求項２記載の建物１００において、
前記構造用パネル１０は、矩形枠状の枠体１０ａと、この枠体１０ａ内に取付けられた補強桟材１０ｃと、前記枠体１０ａの上面に取付けられた面材１０ｂとから構成され、
前記構造用パネル１０は、前記枠体１０ａと前記補強梁９とを連結ボルト１１で緊結することによって前記補強梁９の側面に固定されていることを特徴としている。
【００１１】
請求項３記載の発明によれば、前記構造用パネル１０は、前記枠体１０ａと前記補強梁９とを連結ボルト１１ａで緊結することによって前記補強梁９の側面に固定されている。すなわち、構造用パネル１０、１０を補強材９の両側面に現場で容易に取付けることができるため、第１建築用パネル４および第２建築用パネル５を、現場で容易に組み立てることができる。
【００１２】
請求項４記載の発明は、例えば、図２、図４および図８に示すように、請求項１〜３のいずれかに記載の建物１００において、
前記ボックス体３は、オーバーハング部１ａの基端部より外側の位置で支持柱（壁柱１２）によって下方から支持されていることを特徴とする。
【００１３】
請求項４記載の発明によれば、前記ボックス体３は、オーバーハング部１ａの基端部より外側の位置で支持柱（壁柱１２）によって下方から支持されている。
これにより、全体が躯体７によって支持されたボックス状３の片持梁のように作用するボックス体３が支持柱（壁柱１２）によって途中で支持された構造となる。したがって、オーバーハング部１ａの先端部側の鉛直撓みが低減され、これにより、オーバーハング部１ａを、居住性良く安定的に構成することができる。
【００１４】
請求項５記載の発明は、例えば、図１〜図８に示すように、請求項１〜４のいずれかに記載の建物１００において、
前記オーバーハング部１ａの下方には、玄関土間１３が設けられていることを特徴とする。
【００１５】
請求項５記載の発明によれば、オーバーハング部１ａの下方には、玄関土間１３が設けられているので、オーバーハング部１ａが玄関土間１３の庇の役割を果たすことができる。よって、このオープンハング部３の下方で傘の出し入れができるので、雨等の日に建物内に出入りする際に、雨等で濡れることがない。
【００１６】
請求項６記載の発明は、例えば、図１〜図８に示すように、請求項５記載の建物１００において
前記オーバーハング部１ａの下方には、前記玄関土間１３に隣接してカーポート１４が設けられていることを特徴とする。
【００１７】
請求項６記載の発明によれば、玄関土間１３に隣接してカーポート１４が設けられているので、オーバーハング部１ａがカーポート１４の屋根の役割を果たすことができ、雨等の日であっても、濡れることなく建物１００内とカーポート１４とを行き来することができる。また、カーポート１４が建物１００に一体的に設けられているので、建物１００全体の外観を向上させることできる。
【００１８】
【発明の実施の形態】
以下、本発明に係る建物１００の実施の形態例を図１〜図８に基いて説明する。なお、本実施の形態における建物１００は、壁パネルにより壁が構築され、床パネルにより床が構築され、屋根パネルにより屋根が構築された、つまり、パネル工法で構築された建物となっている。
【００１９】
建物１００は、上下二つの階層を有し、上の階層となる二階部１が下の階層となる一階部２より外部側に突出したオーバーハング部１ａを有してなるものである。ここで、建物１００の一階部２および二階部１の各基本区画は、それぞれ基準寸法Ｍ（モジュール）に基づいて設定されている。この基本寸法（モジュール）Ｍとは、建物のあらゆる部分を一定の大きさの倍数関係に整えようとするときの基準となる寸法をいい、この実施の形態では、１Ｍ（モジュール）９１０ｍｍで設定されている。なお、ここでは基準寸法Ｍ（モジュール）の値を９１０ｍｍとしたが、これに限らずどのような値としてもよく、例えば、９１０ｍｍ以外に８００ｍｍ、９００ｍｍ、１０００ｍｍ等といった値が挙げられる。また、図面中ではＭ（モジュール）は、Ｍに下線を引いた状態で示されている。よって、建物１００の大きさは、図４（ｂ）に示すように、幅が８．５Ｍ、奥行きが１１．５Ｍで構築されている。
【００２０】
オーバーハング部１ａは、第１建築用パネル４と第２建築用パネル５と第３建築用パネル６とによってボックス状に形成されたボックス体３が、後述するように一階部２（下階部）に設置されて形成されている。
【００２１】
第１および第２建築用パネル４、５は、図３に示すように、それぞれ補強梁９と、この補強梁９の両側面にそれぞれ固定された一対の構造用パネル１０、１０とによって平面視矩形状に構成されている。補強梁９は、オーバーハング部１ａの突出方向に長尺な木製部材である。
【００２２】
構造用パネル１０は、縦横の框材が枠状に形成された枠体１０ａと、この枠体１０ａの内側に縦横に組み付けられた補強桟材１０ｃと、この枠体１０ａの上面に取付けられた面材１０ｂとにより形成されている。
【００２３】
そして、構造用パネル１０の枠体１０ａの側面には、一対の構造用パネル１０、１０の枠体１０ａ、１０ａの側面で挟まれるようにして補強梁９が配置されている。この補強梁９の側面と枠体１０ａの側面とには、オーバーハング部１ａの突出方向に沿って、それぞれに連通する複数の貫通孔（図示しない）が設けられている。そして、これら貫通孔に、連結ボルト１１を挿入して、枠体１０ａ、１０ａどうしをこの連結ボルト１１で緊結することによって、一対の構造用パネル１０、１０は、補強梁９の両側面にそれぞれ固定されている。
【００２４】
第３建築用パネル６は、第１建築用パネル４の縁部と第２建築用パネル５の縁部とを連結する壁を形成している。第３建築用パネル６には、図４に示すように、適宜、窓４２やドア４３が設けられている。
【００２５】
建物１００には、ボックス体３がオーバーハング部１ａを形成するように以下のようにして設けられている。すなわち、ボックス体３を構成する第１建築用パネル４が、一階部２の上部の所定位置に設けられたマグサ４１、一階部２の所定位置に建て込まれた外壁７および玄関用外壁７ａ、外部に立設された壁柱１２に固定されて設けられている。
【００２６】
先ず、第１建築用パネル４のオーバーハング部１ａの基端部となる部分４ｂは、図１に示すように、外壁７の上端部に固定されている。詳細には、第３建築用パネル６の下端部には、第１建築用パネル４のオーバーハング部１ａの基端部となる部分４ｂに連通する複数の貫通孔（図示しない）が設けられている。そしてこれら貫通孔に、連結ボルト１１を挿入して緊結することによって、第１建築用パネル４のオーバーハング部１ａの基端部となる部分４ｂと、二階部１の内壁７ｂとなる第３建築用パネル６の下端部と、外壁７の上端部とが連結されている。
加えて、外壁７および第３建築用パネル６の両面からは、第１建築用パネル４のオーバーハング部１ａの基端部となる部分４ｂに向けて、スクリュー釘（図示しない）が交差するようにして打ち込まれている。
【００２７】
また、第１建築用パネル４の内側端部４ａが、図１に示すように、マグサ４１に固定されている。詳細には、第１建築用パネル４がマグサ４１の右側半分に載置され、マグサ４１の左側半分には、二階部１の床パネル４０の端部４０ａが載置されている。そして、これら第１建築用パネル４の内側端部４ａ、および二階部１の床パネル４０の端部４０ａの上面には、第３建築用パネル６が載置されている。また、第３建築用パネル６の下端部には、第１建築用パネル４の内側端部４ａ、および、二階部１の床パネル４０の端部４０ａとに連通する複数の貫通孔（図示しない）が設けられている。そして、これら貫通孔に、連結ボルト１１を挿入して緊結することによって、第１建築用パネル４の内側端部４ａと、二階部１の床パネル４０の端部４０ａと、第３建築用パネル６の下端部と、マグサ４１とが連結されている。また、マグサ４１および第３建築用パネル６の両面から第１建築用パネル４の基端部４ａ、および、二階部１の床パネル４０の端部４０ａに向けて、スクリュー釘（図示しない）が交差するようにして打ち込まれている。
【００２８】
さらに、第１建築用パネル４の外側端部４ｃは、壁柱１２の上端部に固定されている。この壁柱１２は、ボックス体３の突出方向に沿って基礎地盤上に設置された第１壁柱１２ａ（図４（ｂ）中の中央部下側参照）と、このボックス体３の外側端部に基礎地盤上に設置された断面視Ｌ字状の第２壁柱１２ｂ（図４（ｂ）中の右下側参照）とを備えている。この第２壁柱１２ｂは、一方の柱部がボックス体３の突出方向に沿って、かつ、第１壁柱１２ａと同一平面上になるようにして第３建築用パネル６の下方に設置され、他方の柱部がボックス体３の突出方向の直交方向に沿って、かつ、外壁７ｃと同一平面上となるように設置されている。第１壁柱１２ａ、第２壁柱１２ｂの双方からは、第１建築用パネル４に向けて、スクリュー釘（図示しない）が交差するようにして打ち込まれている。
【００２９】
さらに、第１建築用パネル４の側端部４ｄは、下方に位置する玄関用外壁７ａの上端部に固定されている。その固定方法は、前記した第１建築用パネル４と外壁７との固定方法と同様である。
【００３０】
屋根パネル８は、二階部１の上部に設けられた寄棟屋根を形成しており、第２建築用パネル５に図示しない釘等によって固定されている。
【００３１】
以上のように形成されたオーバーハング部１ａの下方には、玄関土間１３が設けられ、この玄関土間１３に隣接してカーポート１４が設けられている。このカーポート１４は、第１壁柱１２ａ、第２壁柱１２ｂに挟まれるように基礎地盤上に設けられており、これら第１壁柱１２ａ、第２壁柱１２ｂがカーポート１４のゲートになっている。
【００３２】
次に、本実施の形態に係る建物１００のオーバーハング部１ａの形成方法について説明する。
先ず、一階部２の外壁７、玄関用外壁７ａ等を所定の位置に建て込むとともに、ボックス体３を構成する第１建築用パネル４の内側端部４ａの下方となる位置にマグサ４１を設ける。
【００３３】
次に、オーバーハング部１ａの突出方向に沿って外壁７から３．２Ｍ離れた位置の基礎地盤上に、カーポート１４を挟むようにして第１壁柱１２ａ、第２壁柱１２ｂを設置する。そして、外壁７、玄関用外壁７ａ、マグサ４１、第１壁柱、第２壁柱１２ｂ等の上端部に接着剤を塗布し、これらの接着剤が塗布された上端部に第１建築用パネル４を載置する。これによって、第１建築用パネル４は、外側端部４ｃが第２壁柱１２ｂに、オーバーハング部１ａの基端部となる部分４ｂが外壁７と第１壁柱１２ａとに、内側端部４ａがマグサ４１に支持された状態となる。次に、第１建築用パネル４を第１壁柱１２ａ、第２壁柱１２ｂの上端部に図示しないスクリュー釘で固定するとともに、第１建築用パネル４上の所定位置に第３建築用パネル６を立設し、この第３建築用パネル６および第１建築用パネル４を、連結ボルト１１、スクリュー釘５０等によって外壁７、玄関用外壁７、マグサ４１等に緊結、固定する。
【００３４】
次に、第３建築用パネル６の上端部に接着剤を塗布し、この接着剤が塗布された第３建築用パネル６の上端部に、第２建築用パネル５を載置し、上述と同様にして、接着剤、連結ボルトおよびスクリュー釘等で固定する。さらに、第２建築用パネル５に、二階の天井パネル、屋根パネル８を、上述と同様にして接着剤、連結ボルトおよびスクリュー釘等で固定する。
【００３５】
以上本実施の形態によれば、次のような効果が得られる。
▲１▼ボックス体３は、第１建築用パネル４と第２建築用パネル５と第３建築用パネル６とによってボックス状に形成されているため、全体としての剛性が確保される。このボックス体３が、オーバーハング部１ａを形成するように一階部２にの躯体である、外壁７、玄関用外壁７ａ、マグサ４１、第１壁柱１２ａ、第２壁柱１２ｂに固定されて設置されている。これにより、ボックス体３は、全体がボックス状の片持梁のようにして躯体７に支持された状態となる。これにより、オーバーハング部１ａにおいては、第２建築用パネル５によって第３建築用パネル６および第１建築用パネル４が吊り下げられた構造形態となる。すなわち、ボックス体３の一部であるオーバーハング部１ａの荷重は、構成部材である第１建築用パネル４、第２建築用パネル５、第３建築用パネル６に分散して負担され、従来のように、第１建築用パネル４に集中して負担されることがない。したがって、オーバーハング部１ａの突出長さを従来に比して長く構成することができる。
【００３６】
▲２▼前記第１および第２建築用パネル４、５は、オーバーハング部１ａの突出方向に長尺な補強梁９を備えているので、この第１および第２建築用パネル４、５の、オーバーハング部１ａの鉛直剛性が増大する。これにより、前記第１および第２建築用パネル４、５の、オーバーハング部１ａの鉛直撓みが小さくなり、したがって、オーバーハング部１ａの突出長さを従来に比して確実に長く構成することができる。
【００３７】
▲３▼構造用パネル１０は、枠体１０ａと補強梁９とを連結ボルト１１ａで緊結することによって補強梁９の側面に固定されている。すなわち、構造用パネル１０、１０を補強材９の両側面に現場で容易に取付けることができるため、第１建築用パネル４および第２建築用パネル５を、現場で容易に組み立てることができる。
【００３８】
▲４▼ボックス体３は、先端部が第２壁柱１２ｂによって下方から支持されている。
これにより、全体が躯体７によって支持されたボックス状の片持梁のように作用するボックス体３が第２壁柱１２ｂによって支持された構造となる。したがって、オーバーハング部１ａの先端部側の鉛直撓みが低減され、これにより、オーバーハング部１ａを、居住性良く安定的に構成することができる。
【００３９】
▲５▼オーバーハング部１ａの下方には、玄関に隣接して玄関土間１３が設けられ、この玄関土間１３に隣接してカーポート１４が設けられている。したがって、オーバーハング部１ａが玄関土間１３の庇およびカーポートの屋根の役割を果たすことができる。よって、雨等の日であっても、濡れることなく建物１００内とカーポート１４とを行き来することができる。また、このオープンハング部３の下方で傘の出し入れができるので、雨等の日に建物内に出入りする際に、雨等で濡れることがない。さらに、カーポート１４が建物１００に一体的に設けられているので、建物１００全体の外観を向上させることできる。
【００４０】
【発明の効果】
以上のように、請求項１記載の発明によれば、前記ボックス体は、全体がボックス状の片持梁のようにして躯体に支持された状態となる。これにより、オーバーハング部においては、第２建築用パネルによって第３建築用パネルおよび第１建築用パネルが吊り下げられた構造形態となる。すなわち、ボックス体の一部であるオーバーハング部の荷重は、構成部材である第１建築用パネル、第２建築用パネル、第３建築用パネルに分散して負担され、従来のように、第１建築用パネルに集中して負担されることがない。したがって、オーバーハング部の突出長さを従来に比して長く構成することができる。
【００４１】
請求項２記載の発明によれば、請求項１記載の発明と同様の効果を得られることは勿論のこと、前記第１および第２建築用パネルの、オーバーハング部鉛直剛性が増大する。これにより、前記第１および第２建築用パネルの鉛直撓みが小さくなり、したがって、オーバーハング部の突出長さを従来に比して確実に長く構成することができる。
【００４２】
請求項３記載の発明によれば、請求項２記載の発明と同様の効果を得られることは勿論のこと、補強材の両側面に構造用パネルを現場で容易に取付けることができるので、第１および第２建築用パネルを、現場で容易に組み立てることができる。
【００４３】
請求項４記載の発明によれば、請求項１〜３のいずれかに記載の発明と同様の効果を得られることは勿論のこと、全体が躯体によって支持されたボックス状の片持梁のように作用するボックス体が支持柱によって途中で支持された構造となる。したがって、オーバーハング部の先端部側の鉛直撓みが低減され、これにより、オーバーハング部を、居住性良く安定的に構成することができる。
【００４４】
請求項５記載の発明によれば、請求項１〜４のいずれかに記載の発明と同様の効果を得られることは勿論のこと、オーバーハング部の下方には、玄関土間が設けられているので、このオープンハング部の下方で傘の出し入れができる。よって、雨等の日に建物内に出入りする際に、雨等で濡れることがない。
【００４５】
請求項６記載の発明によれば、請求項５記載の発明と同様の効果を得られることは勿論のこと、玄関土間に隣接してカーポートが設けられているので、雨等の日であっても、濡れることなく建物内とカーポートとを行き来することができる。また、カーポートが建物に一体的に設けられているので、建物全体の外観を向上させることできる。
【図面の簡単な説明】
【図１】本発明に係るオーバーハング部を示す断面図であり、図４におけるＡ−Ａ断面図である。
【図２】本発明に係るオーバーハング部を示す斜視図である。
【図３】本発明に係る第１建築用パネルを示す断面図であり、図２におけるＢ−Ｂ断面図である。
【図４】本発明に係る建物の、（ａ）は二階部の平断面図（間取り図）であり、（ｂ）は一階部の平断面図（間取り図）である。
【図５】同、立面図である。
【図６】同、立面図である。
【図７】同、立面図である。
【図８】同、立面図である。
【符号の説明】
１        二階部（上階部）
１ａ    オーバーハング部
２        一階部（下階部）
３        ボックス体
４        第１建築用パネル
５        第２建築用パネル
６        第３建築用パネル
７        外壁（躯体）
７ａ    玄関用外壁（躯体）
９        補強梁
１０      構造用パネル
１０ａ  枠体
１１      連結ボルト
１２      壁柱（支持柱）
１２ａ  第１壁柱（支持柱）
１２ｂ  第２壁柱（支持柱）
１３      玄関土間
１４      カーポート
１００    建物
【図１】
0003943438.tif 000002
【図２】
0003943438.tif 000003
【図３】
0003943438.tif 000004
【図４】
0003943438.tif 000005
【図５】
0003943438.tif 000006
【図６】
0003943438.tif 000007
【図７】
0003943438.tif 000008
【図８】
0003943438.tif 000009